(57)【特許請求の範囲】
【請求項１】
板状材料を加工した梱包箱組立用の展開物であって、
いずれも同一方向に伸びた帯状の第１帯状部分、第２帯状部分、第３帯状部分および第４帯状部分の４つの区分された部分からなり、
前記第１帯状部分は、
帯状に伸びた方向の長さが略等しく前記伸びた方向に順に折り線を介して連続する中底板内側部、下底板内側部、上底板内側部と、
前記中底板内側部および前記上底板内側部の前記伸びた方向の外側でそれぞれ折り線により連続し前記伸びた方向の長さが前記中底板内側部の略半分である四角形部分、または前記中底板内側部および前記上底板内側部のいずれかに前記伸びた方向の外側で折り線により連続し前記伸びた方向の長さが前記中底板内側部に略等しい四角形部分と、からなり、
前記第２帯状部分は、
前記中底板内側部、前記下底板内側部および前記上底板内側部にこれらの前記伸びた方向における辺を折り線としてそれぞれ連続しかつ連続する折り線を１辺とする正方形であって連続する折り線以外の辺では互いに分離した３つの中底板部、下底板部および上底板部からなり、
前記第３帯状部分は、
全体の幅が前記第１帯状部分の幅に略等しく前記第２帯状部分を挟んで前記第１帯状部分の反対側に位置し、
前記下底板部にのみ折り線により連続する下底板外側部と、
前記伸びた方向における前記下底板外側部の両側でそれぞれ折り線により前記下底板外側部に連続し前記伸びた方向の長さが前記下底板外側部に略等しい中底板外側部および上底板外側部と、
前記中底板外側部および前記上底板外側部の前記伸びた方向の外側でそれぞれ折り線により連続し前記伸びた方向の長さが前記中底板外側部の略半分である四角形部分、または前記中底板外側部および前記上底板外側部のいずれかに前記伸びた方向の外側で折り線により連続し前記伸びた方向の長さが前記中底板外側部に略等しい四角形部分と、からなり、
前記第４帯状部分は、
前記第３帯状部分を挟んで前記第２帯状部分の反対側に位置し、
前記下底板外側部に折り線を介して連続しその幅が前記下底板部の１辺の略半分である中央中折部と、
前記伸びた方向における前記中央中折部の両側で前記中央中折部に折り線により連続しかつそれぞれが前記中底板外側部または前記上底板外側部に折り線により連続していずれの幅も前記下底板部の１辺の半分以上である第１蓋部および第２蓋部と、
いずれもその幅が前記中央中折部と略等しく前記伸びた方向における長さが前記第３帯状部分における前記四角形部分と略等しく前記第２帯状部分の反対側で前記四角形部分に折り線で連続しかつ前記伸びた方向の外方で前記第１蓋部および／または前記第２蓋部に折り線で連続する端中折部と、を有し、
前記中央中折部は、前記第１蓋部との間の折り線および前記下底板外側部との間の折り線の交点からこれらの折り線のいずれにも４５度傾斜して外方に伸びた第１傾斜折り線、ならびに前記第２蓋部との間の折り線および前記上底板外側部との間の折り線の交点からこれらの折り線のいずれにも４５度傾斜して外方に伸びた第２傾斜折り線を備え、
前記第１蓋部および前記第２蓋部の前記伸びた方向の外方で連続するそれぞれの前記端中折部は、
前記第１蓋部に連続する端中折部がその形状の対角線の１つであって前記第２傾斜折り線に平行な第４傾斜折り線を備え、前記第２蓋部に連続する端中折部がその形状の対角線の１つであって前記第１傾斜折り線に平行な第３傾斜折り線を備え、
前記第１蓋部または前記第２蓋部の前記伸びた方向の外方で連続する前記端中折部は、
前記第３帯状部分とは反対側の端縁における前記伸びた方向の中央を頂角とする直角二等辺三角形の等辺の１つであり前記第１傾斜折り線に平行な第３傾斜折り線、および前記等辺の他の１つであり前記第２傾斜折り線に平行な第４傾斜折り線を備えており、
前記中央中折部には、前記第１傾斜折り線および前記第２傾斜折り線のいずれかを対角線とする正方形の孔または当該正方形の１辺が開放された中央切り欠きが設けられ、
前記第１傾斜折り線を対角線とする前記中央切り欠きが設けられたとき、前記第４傾斜折り線が設けられた前記端中折部には、前記伸びた方向の外縁に前記第４傾斜折り線を対角線とした端部切り欠きが設けられ、
前記第２傾斜折り線を対角線とする前記中央切り欠きが設けられたとき、前記第３傾斜折り線が設けられた前記端中折部には、前記伸びた方向の外縁に前記第３傾斜折り線を対角線とした端部切り欠きが設けられ、
前記孔または前記中央切り欠きが前記第１傾斜折り線を対角線とするとき、前記第１蓋部における前記中央中折部との間の折り線で前記中央中折部と折り重ねた場合に前記中央切り欠きに対応する位置に切り離しにより前記第１蓋部と前記中底板外側部との間の折り線を回動軸とする開閉蓋が形成される蓋用切り離し線が設けられ、
前記孔または前記中央切り欠きが前記第２傾斜折り線を対角線とするとき、前記第２蓋部における前記中央中折部との間の折り線で前記中央中折部と折り重ねた場合に前記中央切り欠きに対応する位置に切り離しにより前記第２蓋部と前記上底板外側部との間の折り線を回動軸とする開閉蓋が形成される蓋用切り離し線が設けられた
ことを特徴とする梱包箱組立用の展開物。
【請求項２】
前記第２帯状部分の前記中底板内側部、前記下底板内側部および前記上底板内側部が重ねられて底が形成され、
前記第１帯状部分により正方形の内側側面が形成され、
前記第３帯状部分により前記内側側面の外側を取り囲む外側側面が形成され、
前記第４帯状部分における前記中央中折部および前記端中折部が前記内側側面の内方に折り入れられ、前記前記第１蓋部および前記第２蓋部における前記蓋用切り離し線が設けられた一方の端縁が他方の端縁の下に差し入れられて上面が閉じられた
請求項１の展開物により組み立てられた梱包箱。
【発明の詳細な説明】
【技術分野】
【０００１】
本発明は、釘、ボルト等の多量の物品をひとまとめに梱包する梱包箱に関する。
【背景技術】
【０００２】
住居用建築物等に使用される釘、鉄骨の構造物および機械設備に使用されるボルト、ナット、リベット等は、持ち運びに支障のない重量（個数）単位が、段ボールにより組み立てられた箱または樹脂で成形された箱に入れられて販売がなされる。段ボールによる箱は、組立前には板状であり、箱の形態で在庫する必要がある樹脂製の梱包箱よりも狭い保管場所で足りる点、および単価が安い点で利便性が高い。
【０００３】
段ボール箱の型式は、ＪＩＳ  Ｚ  １５０７に展開図および立体図がコード番号と関連づけて定められている。また、段ボール箱の型式は、市場では、ＪＩＳによるコード番号ではなく、Ａ式、Ｂ式、Ｃ式等の名称で呼ばれることが多い。
そして、釘等を梱包する段ボール箱には、対面する２側面の上面側における辺に上面の半分を塞ぐ蓋部分（フラップ）がそれぞれ連続し、連続部分から内方に折り曲げこれらを突き合わせるようにして上面を塞ぎ、ガムテープおよびクラフトテープ等の粘着テープにより突き合わせ部分を相互に止めて組み立てられる、Ａ式（みかん箱型式）のものが多く用いられる。
【０００４】
ところで、釘、ボルト等は、建設現場等で同一寸法のものが多量に使用される場合には、施工場所で梱包箱から直接に取り出され使用される。しかし、そのような使用形態では、通常、梱包された全量を使い切らないで１日の作業を終えることが多く、梱包箱を開放状態のまま保管せざるを得ない。
段ボール箱の型式には、他に、開封後に再度蓋をすることができる、箱側面の１つに連続し連続する辺の対向辺に差し込み用の折返しを有する単一の蓋で上部の開放部分を塞ぐＢ式、およびいずれも４側面と底面とを有する本体および蓋の分離された２つの部分からなるＣ式がある。しかし、Ｂ式およびＣ式は、重量物である釘等を梱包した状態で輸送時等の取り扱いに耐える蓋の固定が容易ではなく、また、収容する重量物である釘等によって生ずる箱の変形により、開封後に蓋が十分機能しないおそれがある。Ｂ式およびＣ式は、開放面積が大きいことにより、急な雨により内部に水が進入し易いという問題もある。
【０００５】
梱包対象は不明であるが、開封した後に再度封緘することができ、開放状態の開放面積が箱上面の面積よりも小さな段ボール箱に関する技術が特許文献１に開示されている。
特許文献１に開示された段ボール箱は、上面における対向する２辺に連続する蓋部分（外フラップ）の端側が、上面で重なり合わされることにより、再封緘を可能とする。内容物の取り出し口は、蓋部分の内側の内フラップ間における隙間として形成される。
【先行技術文献】
【特許文献】
【０００６】
【特許文献１】特開２００６−５１９５８号公報
【発明の概要】
【発明が解決しようとする課題】
【０００７】
特許文献１に記載の段ボール箱は、開封後に取り出し口の再封緘が可能な点で優れるものである。しかし、開放時、上面の開放面積の半分以上の大きさの面積を有する側フラップを、箱の外方に倒しておく必要があり、例えば、足場が不安定な建築現場等では、作業性を悪化させる。また、取り出し口の開放および再封緘を片手で行うことが容易ではなく、内容物を取り出すごとに開放、再封緘を繰り返すのには難がある。
【０００８】
本発明は、上述の問題に鑑みてなされたもので、片手のみで容易に開放および再封緘が可能な取り出し口を有する梱包箱およびこの梱包箱を組み立てるための展開物を提供することを目的とする。
【課題を解決するための手段】
【０００９】
本発明に係る梱包箱組立用の展開は、板状材料を加工した梱包箱組立用の展開物であって、いずれも同一方向に伸びた帯状の第１帯状部分、第２帯状部分、第３帯状部分および第４帯状部分の４つの区分された部分からなり、前記第１帯状部分は、帯状に伸びた方向の長さが略等しく前記伸びた方向に順に折り線を介して連続する中底板内側部、下底板内側部、上底板内側部と、前記中底板内側部および前記上底板内側部の前記伸びた方向の外側でそれぞれ折り線により連続し前記伸びた方向の長さが前記中底板内側部の略半分である四角形部分、または前記中底板内側部および前記上底板内側部のいずれかに前記伸びた方向の外側で折り線により連続し前記伸びた方向の長さが前記中底板内側部に略等しい四角形部分と、からなり、前記第２帯状部分は、前記中底板内側部、前記下底板内側部および前記上底板内側部にこれらの前記伸びた方向における辺を折り線としてそれぞれ連続しかつ連続する折り線を１辺とする正方形であって連続する折り線以外の辺では互いに分離した３つの中底板部、下底板部および上底板部からなり、前記第３帯状部分は、全体の幅が前記第１帯状部分の幅に略等しく前記第２帯状部分を挟んで前記第１帯状部分の反対側に位置し、前記下底板部にのみ折り線により連続する下底板外側部と、前記伸びた方向における前記下底板外側部の両側でそれぞれ折り線により前記下底板外側部に連続し前記伸びた方向の長さが前記下底板外側部に略等しい中底板外側部および上底板外側部と、前記中底板外側部および前記上底板外側部の前記伸びた方向の外側でそれぞれ折り線により連続し前記伸びた方向の長さが前記中底板外側部の略半分である四角形部分、または前記中底板外側部および前記上底板外側部のいずれかに前記伸びた方向の外側で折り線により連続し前記伸びた方向の長さが前記中底板外側部に略等しい四角形部分と、からなり、前記第４帯状部分は、前記第３帯状部分を挟んで前記第２帯状部分の反対側に位置し、前記下底板外側部に折り線を介して連続しその幅が前記下底板部の１辺の略半分である中央中折部と、前記伸びた方向における前記中央中折部の両側で前記中央中折部に折り線により連続しかつそれぞれが前記中底板外側部または前記上底板外側部に折り線により連続していずれの幅も前記下底板部の１辺の半分以上である第１蓋部および第２蓋部と、いずれもその幅が前記中央中折部と略等しく前記伸びた方向における長さが前記第３帯状部分における前記四角形部分と略等しく前記第２帯状部分の反対側で前記四角形部分に折り線で連続しかつ前記伸びた方向の外方で前記第１蓋部および／または前記第２蓋部に折り線で連続する端中折部と、を有し、前記中央中折部は、前記第１蓋部との間の折り線および前記下底板外側部との間の折り線の交点からこれらの折り線のいずれにも４５度傾斜して外方に伸びた第１傾斜折り線、ならびに前記第２蓋部との間の折り線および前記上底板外側部との間の折り線の交点からこれらの折り線のいずれにも４５度傾斜して外方に伸びた第２傾斜折り線を備え、前記第１蓋部および前記第２蓋部の前記伸びた方向の外方で連続するそれぞれの前記端中折部は、前記第１蓋部に連続する端中折部がその形状の対角線の１つであって前記第２傾斜折り線に平行な第４傾斜折り線を備え、前記第２蓋部に連続する端中折部がその形状の対角線の１つであって前記第１傾斜折り線に平行な第３傾斜折り線を備え、前記第１蓋部または前記第２蓋部の前記伸びた方向の外方で連続する前記端中折部は、前記第３帯状部分とは反対側の端縁における前記伸びた方向の中央を頂角とする直角二等辺三角形の等辺の１つであり前記第１傾斜折り線に平行な第３傾斜折り線、および前記等辺の他の１つであり前記第２傾斜折り線に平行な第４傾斜折り線を備えており、前記中央中折部には、前記第１傾斜折り線および前記第２傾斜折り線のいずれかを対角線とする正方形の孔または当該正方形の１辺が開放された中央切り欠きが設けられ、前記第１傾斜折り線を対角線とする前記中央切り欠きが設けられたとき、前記第４傾斜折り線が設けられた前記端中折部には、前記伸びた方向の外縁に前記第４傾斜折り線を対角線とした端部切り欠きが設けられ、前記第２傾斜折り線を対角線とする前記中央切り欠きが設けられたとき、前記第３傾斜折り線が設けられた前記端中折部には、前記伸びた方向の外縁に前記第３傾斜折り線を対角線とした端部切り欠きが設けられ、前記孔または前記中央切り欠きが前記第１傾斜折り線を対角線とするとき、前記第１蓋部における前記中央中折部との間の折り線で前記中央中折部と折り重ねた場合に前記中央切り欠きに対応する位置に切り離しにより前記第１蓋部と前記中底板外側部との間の折り線を回動軸とする開閉蓋が形成される蓋用切り離し線が設けられ、前記孔または前記中央切り欠きが前記第２傾斜折り線を対角線とするとき、前記第２蓋部における前記中央中折部との間の折り線で前記中央中折部と折り重ねた場合に前記中央切り欠きに対応する位置に切り離しにより前記第２蓋部と前記上底板外側部との間の折り線を回動軸とする開閉蓋が形成される蓋用切り離し線が設けられる。
【００１０】
前記折り線は、その線に沿って折り曲げやすいように板状材料に設けられたものであり、第１〜第４傾斜折り線とその他の折り線とは折り曲げ方向が異なり、例えば折り曲げたときに第１〜第４傾斜折り線が手前に向かいその両側の部分が奥に曲がるのに対し、その他の折線では曲げたときに折り線が奥に向かいその両側が手前に曲がる。
本発明に係る梱包箱は、前記第２帯状部分の前記中底板内側部、前記下底板内側部および前記上底板内側部が重ねられて底が形成され、前記第１帯状部分により正方形の内側側面が形成され、前記第３帯状部分により前記内側側面の外側を取り囲む外側側面が形成され、前記第４帯状部分における前記中央中折部および前記端中折部が前記内側側面の内方に折り入れられ、前記前記第１蓋部および前記第２蓋部における前記蓋用切り離し線が設けられた一方の端縁が他方の端縁の下に差し入れられ上面が閉じられて組み立てられる。
【発明の効果】
【００１１】
本発明によると、片手のみで容易に開放および再封緘が可能な取り出し口を有する梱包箱を提供することができる。
【図面の簡単な説明】
【００１２】
【図１】図１は梱包箱の展開図である。
【図２】図２は梱包箱の組み立て途中の斜視図である。
【図３】図３は梱包箱の組み立て途中の斜視図である。
【図４】図４は梱包箱の組み立て途中の斜視図である。
【図５】図５は梱包箱の組み立て途中の斜視図である。
【図６】図６は組み立て後の梱包箱の斜視図である。
【図７】図７は取り出し口を開放した梱包箱の斜視図である。
【図８】図８は他の梱包箱の展開図である。
【図９】図９は梱包箱の他の展開図である。
【発明を実施するための形態】
【００１３】
図１は梱包箱１の展開図、図２〜図５は梱包箱１の組み立て途中の斜視図、図６は組み立て後の梱包箱１の斜視図、図７は取り出し口７を開放した梱包箱１の斜視図である。
梱包箱１は、紙製段ボール、プラスチック段ボールおよびこれらに準ずる紙またはプラスチック等の板状材料を切断し、折り線が形成された、図１に示される展開物２から組み立てられる。
【００１４】
展開物２の作成は、長方形の板状材料が使用される。展開物２は、板状材料の長手方向に伸びた４つの帯状部分に区分される。
図１において、最も下側の帯状部分（「第１帯状部分３」という）は、一方の側（左側）から他方の側に向けて、第１内側部１１、中底板内側部１２、下底板内側部１３、上底板内側部１４および第２内側部１５に、長手方向に直交する折り線１６ａ，１６ｂ，１６ｃ，１６ｄによって区分される。折り線１６ａ，１６ｂ，１６ｃ，１６ｄは、その両側の部分が図１において手前側に折れ曲り可能に形成されている。
【００１５】
ここで「長手方向」とのみ記載した場合は、板状材料における長手方向をいう。
中底板内側部１２、下底板内側部１３および上底板内側部１４は、長手方向における長さが略等しい。第１内側部１１および第２内側部１５は、長手方向における長さが、中底板内側部１２等の略半分である。第１内側部１１、中底板内側部１２、下底板内側部１３、上底板内側部１４および第２内側部１５の幅（長手方向に直交する方向の寸法）は、略等しい。第１内側部１１等の幅が、梱包箱１における高さとなる。
【００１６】
なお、展開物２の説明において、各部分の長さを比較して略等しいと表現することがある。しかし、板状材料には厚さが存在し、後に説明する梱包箱１への組み立てにおいて部分同士を重ね合わせる必要があり、部分によっては厳密に同一寸法とすると組み立てに支障が生ずる。上記した「略等しい」および以下の説明における「略等しい」は、原則として等しいが、部分同士を重ね合わせたときに支障が生じないように板状部材の厚さが考慮された結果、寸法に若干の相違がある場合が含まれる。
【００１７】
図１において、第１帯状部分３の上で隣り合う帯状部分（「第２帯状部分４」という）は、略同一の大きさの正方形である中底板部２１、下底板部２２および上底板部２３からなる。
中底板部２１は、中底板内側部１２とのみ折り線２４ａを介して連続する。
下底板部２２は、中底板部２１の他方の側（右側）に位置し、中底板部２１とは分離して下底板内側部１３とは折り線２４ｂを介して連続する。
【００１８】
上底板部２３は、下底板部２２の他方の側（右側）に位置し、上底板内側部１４とのみ折り線２４ｃを介して連続する。
中底板部２１、下底板部２２および上底板部２３の各辺の長さは、板状材料の長手方向における中底板内側部１２等の長さに略等しい。
第１帯状部分３と第２帯状部分４とを連続する各折り線２４ａ，２４ｂ，２４ｃは、その両側の部分が図１において手前側に折れ曲り可能に形成されている。
【００１９】
図１において、第２帯状部分４の上で隣り合う帯状部分（「第３帯状部分５」という）は、一方の側（左側）から他方の側に向けて、第１外側部３１、中底板外側部３２、下底板外側部３３、上底板外側部３４および第２外側部３５に区分される。第１外側部３１、中底板外側部３２、下底板外側部３３、上底板外側部３４および第２外側部３５における隣り合う２つの部分は、図１において手前側に折れ曲り可能なように、板状材料の長手方向に直交する折り線３６ａ，３６ｂ，３６ｃ，３６ｄを介して連続している。
【００２０】
板状材料の長手方向における中底板外側部３２、下底板外側部３３および上底板外側部３４の長さは略等しく、これらの長さは、板状材料の厚さが考慮されて中底板内側部１２等の長さより若干長い。第１外側部３１および第２外側部３５は、板状材料の長手方向における長さが、中底板外側部３２等の略半分である。第１外側部３１、中底板外側部３２、下底板外側部３３、上底板外側部３４および第２外側部３５の幅（長手方向に直交する方向の寸法）は、略等しい。
【００２１】
中底板外側部３２および上底板外側部３４は、それぞれ中底板部２１および上底板部２３と長手方向に直交する方向において僅かの隙間を介して隣り合う。下底板外側部３３は、長手方向に伸びた折り線３７により下底板部２２に連続する。折り線３７は、その両側が図１において手前側に折れ曲り可能なように形成されている。
図１において、最も上側の帯状部分（第３帯状部分５の上で隣り合う帯状部分でもあり、「第４帯状部分６」という）は、一方の側（左側）から他方の側に向けて、第１中折部４１、第１蓋部４２、中央中折部４３、第２蓋部４４および第２中折部４５に区分される。
【００２２】
第１中折部４１は、形状が第１外側部３１の長手方向長さを１辺の長さとする正方形であり、その１辺が長手方向に伸びた折り線４６ａを介して第１外側部３１に連続する。第１中折部４１は、第１蓋部４２と、長手方向に直交する方向に伸びた折り線４７ａを介して連続する。第１中折部４１は、折り線４６ａと折り線４７ａとの交点からその対角に伸びた折り線４８を備える。折り線４６ａおよび折り線４７ａは、それぞれの両側が図１において手前側に折れ曲り可能なように形成される。折り線４７ａは、折り線３６ａを延長したものである。折り線４８は、その両側が図１において奥側に折れ曲り可能なように形成される。
【００２３】
第１中折部４１は、折り線４６ａから離れ第１蓋部４２に連続する頂角部分に、略矩形状に凹んだ第１凹部５１が設けられている。第１凹部５１は、長手方向の寸法が第１中折部４１の１辺の長さの略２０％であり、長手方向に直交する方向の寸法が第１中折部４１の１辺の長さの略１０％である。第１凹部５１の端縁は、第１中折部４１の長手方向に伸びる端縁と湾曲線（４分の１円弧）で結ばれる。
【００２４】
第１蓋部４２は、形状が略矩形であり、第１中折部４１に連続する側の反対側で、折り線３６ｂの延長である折り線４７ｂを介して中央中折部４３に連続する。また、第１蓋部４２は、折り線４６ａの延長である折り線４６ｂを介して中底板外側部３２に連続する。折り線４７ｂおよび折り線４６ｂは、それぞれの両側が図１において手前側に折れ曲り可能なように形成される。第１蓋部４２は、長手方向に直交する方向におけるその寸法が、その長手方向の寸法の略６５％である。
【００２５】
第１蓋部４２は、隣り合う第１中折部４１および中央中折部４３よりも長手方向に直交する方向に突出しており、突出する２つの頂角部分は、湾曲（４分の１円弧）している。第１蓋部４２は、突出端における中央中折部４３寄りに、後に手で容易に切り欠きとすることができる、突出端近傍を矩形に区分するミシン目による２つの切り欠き線５２ａ，５２ｂが長手方向に間隔を有して設けられている。切り欠き線５２ａ，５２ｂにより区分される各矩形は略同一形状、同一の大きさである。
【００２６】
中央中折部４３は、第１蓋部４２に連続する側の反対側で、折り線３６ｃの延長である折り線４７ｃを介して第２蓋部４４に連続する。中央中折部４３は、折り線４６ｂの延長である折り線４６ｃを介して下底板外側部３３に連続する。折り線４７ｃおよび折り線４６ｃは、いずれもその両側が図１において手前側に折れ曲り可能なように形成される。中央中折部４３は、長手方向に直交する方向におけるその寸法が、第１中折部４１の１辺の長さに略等しい。中央中折部４３は、第１蓋部４２直近の端縁が、略矩形状に凹んだ第２凹部５３となっている。第２凹部５３は、その大きさおよび形状が、第１凹部５１を反転させたもの（裏側から見たもの）と略同一である。
【００２７】
中央中折部４３には、折り線４７ｂと折り線４６ｃとの交点からこれらに４５度傾斜し端縁まで伸びた折り線４９ａ、および折り線４７ｃと折り線４６ｃとの交点からこれらに４５度傾斜し端縁まで伸びた折り線４９ｂとが設けられている。折り線４９ａおよび折り線４９ｂは、中央中折部４３の端縁で交わる。
中央中折部４３は、第２蓋部４４側に、折り線４９ｂをその対角線とし板状材料を打ち抜いて形成された正方形の正方形孔５４を備える。
【００２８】
第２蓋部４４は、中央中折部４３に連続する側の反対側で、折り線３６ｄの延長である折り線４７ｄを介して第２中折部４５に連続する。第２蓋部４４は、折り線４６ｃの延長である折り線４６ｄを介して上底板外側部３４に連続する。折り線４７ｄおよび折り線４６ｄは、それぞれの両側が図１において手前側に折れ曲り可能なように形成される。第２蓋部４４は、長手方向に直交する方向におけるその寸法が、第１蓋部４２の長手方向に直交する方向における長さに略等しい。したがって、第２蓋部４４における長手方向に直交する方向の寸法は、その長手方向の寸法の略６５％である。
【００２９】
第２蓋部４４は、隣り合う中央中折部４３および第２中折部４５よりも長手方向に直交する方向に突出しており、突出する２つの頂角部分は、湾曲（４分の１円弧）している。第２蓋部４４には、中央中折部４３寄りに、後に手で容易に切断することができ、切断後に囲まれた部分が取り出し口蓋８となる、ミシン目による蓋用切り欠き線５５が加工されている。
【００３０】
蓋用切り欠き線５５は、２本の側線５６ａ，５６ｂ、端線５７、および凹状線５８からなる。側線５６ａ，５６ｂは、折り線４６ｄを起点に折り線４７ｃに平行にかつ互いに間隔を有して、中央中折部４３の端縁の延長位置まで伸びる。端線５７は、側線５６ａ，５６ｂの伸びた先を結ぶ線である。凹状線５８は、端線５７の中央部分を１辺とする矩形を、側線５６ａ，５６ｂ間に区分する線である。この矩形は、ミシン目により人の手で容易にくり抜くことができる。
【００３１】
２本の側線５６ａ，５６ｂの間隔Ｗ１は、第１蓋部４２における２つの切り欠き線５２ａ，５２ｂが設けられた範囲の長手方向における寸法Ｗ２に略等しい。
中央中折部４３側の側線５６ａと折り線４７ｃとの距離Ｄ１は、中央中折部４３側の切り欠き線５２ｂとの距離Ｄ２に略等しい。また、距離Ｄ１は、正方形孔５４と折り線４７ｃとの距離Ｄ３に略等しい。
【００３２】
それぞれの側線５６ａ，５２ｂと凹状線５８で囲まれた部分との距離Ｗ３は略等しく、この距離Ｗ３は、切り欠き線５２ａ，５２ｂにより区分された矩形の長手方向の寸法Ｗ４に略等しい。
第２中折部４５は、折り線４６ｄの延長である折り線４６ｅを介して第２外側部３５に連続する。折り線４６ｅは、その両側が図１において手前側に折れ曲り可能なように形成される。第２中折部４５は、その形状が、長さが略等しい折り線４７ｄおよび折り線４６ｅを直交する２辺とする正方形である。第２中折部４５は、第１凹部５１が設けられていないと仮定した第１中折部４１と略同じ大きさである。第２中折部４５には、折り線４７ｄと折り線４６ｅとによる頂角から対角まで伸びた折り線５９が設けられている。折り線５９は、その両側が図１において奥側に折れ曲り可能なように形成される。
【００３３】
次に展開物２を用いた梱包箱１の組み立てについて説明する。
図２および図３を参照して、第１帯状部分３が、折り線２４ａ，２４ｂ，２４ｃに沿って第２帯状部分４に対して略９０度になるように折り曲げられる。第１帯状部分３は、折り線１６ａ，１６ｂ，１６ｃ，１６ｄに沿って、隣り合う第１内側部１１、中底板内側部１２、下底板内側部１３、上底板内側部１４および第２内側部１５におけるそれぞれ隣り合う２つの部分が略９０度となるように折り曲げられる。折り線１６ａ，１６ｂ，１６ｃ，１６ｄに沿う折り曲げでは、下底板部２２の上に中底板部２１が重なり、中底板部２１の上に上底板部２３が重なるように留意される。
【００３４】
下底板部２２、中底板部２１および上底板部２３がそれぞれの正方形形状の辺を揃えて重ねられると、第１内側部１１および第２内側部１５の先端側の端縁６０ａ，６０ｂが突き合わされ、ぞれぞれの先端部分が粘着テープ６１により連結される（図４参照）。
図３および図４を参照して、第３帯状部分５および第４帯状部分６は、折り線４６ｃに沿って、下底板外側部３３が第１内側部１１および第２内側部１５に接するまで（相互のなす角度が略９０度になるまで）折り曲げられる。第３帯状部分５および第４帯状部分６は、折り線３６ａ，４７ａ、折り線３６ｂ，４７ｂ、折り線３６ｃ，４７ｃおよび折り線３６ｄ，４７ｄに沿って、第１帯状部分３を囲むように折り曲げられる。折り線３６ａ，４７ａ等を挟んだ両側の部分は略９０度の角度を形成し、第３帯状部分５の内面は第１帯状部分３の外面に面で接する。
【００３５】
第１外側部３１および第１中折部４１における連続する端縁６５と、第２外側部３５および第２中折部４５における連続する端縁６６とは、第１内側部１１と第２内側部１５とが突き合わされ連結された側とは反対側で突き合わされる。突き合わされた端縁６５，６６同士は、粘着テープ６７により連結される。
図４ないし図６を参照して、中央中折部４３がその傾斜する折り線４９ａ，４９ｂに沿って内側に折り畳まれ、および連結された第１中折部４１および第２中折部４５がそれぞれの傾斜する折り線４８，５９に沿って内側に折り畳まれる。この折り畳みは、折り線４６ａ，４６ｂ，４６ｃ，４６ｄ，４６ｅおよび折り線４７ａ，４７ｂ，４７ｃ，４７ｄに沿った折り曲げを伴うものである。
【００３６】
中央中折部４３、第１中折部４１および第２中折部４５は、それぞれの傾斜する折り線４９ａ，４９ｂ，４８，５９を挟んだ両側の部分が重なるまで折り畳まれる。このように中央中折部４３、第１中折部４１および第２中折部４５が折り畳まれると、第１中折部４１および中央中折部４３は、同時に折り曲げられた第１蓋部４２と重なる。折り線４６ａ，４６ｃから第１中折部４１および中央中折部４３における端縁７１ａ，７１ｃまでの距離は、折り線４６ｂから第１蓋部４２の端縁７１ｂまでの距離より小さい。つまり、第１蓋部４２が図６における寸法Ｌの帯状部分６８で一重となる。これと同様に、第２蓋部４４も寸法Ｌの帯状部分６９で一重となる。
【００３７】
第１蓋部４２および第２蓋部４４は、上底板部２３に略平行になるまで折り曲げられ、第２蓋部４４における一重となった寸法Ｌの帯状部分６９が、第１蓋部４２の端縁７１ｂの下側に差し入れられる。第２蓋部４４は、第１蓋部４２と第１中折部４１および中央中折部４３との間で固定される。
第２蓋部４４が固定される、第１蓋部４２と第１中折部４１および中央中折部４３との間とは、図６における網掛け部分に形成される。この部分の形成には、図４における第１中折部４１および中央中折部４３の網掛け部分が関与する。第１中折部４１における第１凹部５１および中央中折部４３における第２凹部５３は、第２蓋部４４を第１蓋部４２の下側に差し入れる作業を容易にするためのものである。
【００３８】
以上が展開物２を用いた梱包箱１の組み立ての要領である。
例えばＡ式（みかん箱型式）の段ボール箱が封緘に粘着テープを必要とするのに対して、展開物２を用いた梱包箱１は、第２蓋部４４を第１蓋部４２の下側に差し入れて封緘するので、封緘に粘着テープを必要とせず、再封緘も容易に行うことができる。
また、梱包箱１は、その底が、側面（側壁）である下底板内側部１３および下底板外側部３３のいずれにも連続する下底板部２２を最下層として中底板部２１および上底板部２３の３層で形成される。また、四方を取り囲む側面は、第１帯状部分３および第３帯状部分５により２層に形成される。そのため、梱包箱１は、集まれば重くなる釘、ボルト等の金属部品を多量に収容できる強度を有する。
【００３９】
梱包箱１は、例えば多量の釘等を収容し、建築現場等で１つずつまたは少量を必要に応じて取り出すときのための取り出し口７および取り出し口蓋８が形成可能となっている。
図１、図６および図７を参照して、取り出し口７および取り出し口蓋８は、蓋用切り欠き線５５のミシン目の両側を切り離すことにより形成される。切り離された第２蓋部４４の一部（取り出し口蓋８）は、折り線４６ｄでのみ上底板外側部３４に連続し、折り線４６ｄに沿って折り曲げ可能である。取り出し口蓋８は、凹状線５８（ミシン目）で囲まれた部分を切り離すことにより凹状となった指掛け部７４が形成される。凹状の指掛け部７４の両側で突出する２つの部分を爪部７５ａ，７５ｂという。なお、梱包箱１では、指掛け部７４の内方端縁に、指掛けを容易にするための半円形の凹状部分を備える。
【００４０】
第２蓋部４４における取り出し口蓋８が切り離された略矩形の跡は、取り出し口蓋８が折り線４６ｄを軸に開かれたときに、取り出し口７となる。
正方形孔５４は、展開物２の組み立て過程で、中央中折部４３が折り線４９ｂに沿って折り曲げられ、直角二等辺三角形の切り欠きとなって取り出し口７を広く開放する。
取り出し口蓋８は、取り出し口７の端縁にその端縁が嵌め入れられ、爪部７５ａ，７５ｂが第１蓋部４２の帯状部分６８の下に差し入れられると、取り出し口７が閉じられる。
【００４１】
また、取り出し口蓋８は、次のようにして取り出し口７を閉じることができる。
第１蓋部４２における切り欠き線５２ａ，５２ｂに囲まれる部分が、ミシン目を切り離すことにより取り去られる。切り欠き線５２ａ，５２ｂに囲まれる部分が取り去られたことにより生じた２つの矩形状凹部を係止部７６ａ，７６ｂという。
梱包箱１は、展開図２における切り欠き線５２ａ，５２ｂと蓋用切り欠き線５５における端線５７との位置関係から、係止部７６ａ，７６ｂを生じさせても、爪部７５ａ，７５ｂを第１蓋部４２の帯状部分６８の下に差し入れて、取り出し口蓋８により取り出し口７を閉じることができる（図７）。しかし、この閉じ方は、片手での作業には若干の困難さが伴う。
【００４２】
この困難さを回避するために、爪部７５ａ，７５ｂを閉じたときに内面となる側に略９０度折り曲げる（図７）。そして、取り出し口蓋８により取り出し口７を閉じるときに、爪部７５ａ，７５ｂを係止部７６ａ，７６ｂに嵌め入れる。爪部７５ａ，７５ｂは、その幅Ｗ３が係止部７６ａ，７６ｂの幅Ｗ４に略等しいので、係止部７６ａ，７６ｂから容易に抜け出ることがなく、取り出し口７の閉塞状態が維持される。
【００４３】
爪部７５ａ，７５ｂを係止部７６ａ，７６ｂに係止させて取り出し口蓋８により取り出し口７を閉じる作業は、片手のみで容易に行うことができる。
展開物２Ｂにおいて、切り欠き線５２ａ，５２ｂ、正方形孔５４および蓋用切り欠き線５５は、相互に適切な位置関係を有するようにすれば、これらを、第１蓋部４２、中央中折部４３および第２蓋部４４の展開物２とは異なる位置に設けることができる。そして、その結果、取り出し口および取り出し口蓋を梱包箱１床となる位置に設けられた梱包箱１Ｂを得ることができる。
【００４４】
図８は取り出し口および取り出し口蓋を、図７に示されるような下底板外側部３３側ではなく、第１外側部３１および第２外側部３５と下底板外側部３３との中央に設けたときの梱包箱１Ｂの展開図である。
梱包箱１Ｂの展開物２Ｂにおいては、取り出し口の一部を形成するために、中央中折部４３に正方形の切り欠き７７Ｂが、第２中折部４５に正方形の切り欠き７８Ｂが設けられる。蓋用切り欠き線５５Ｂは、第２蓋部４４の長手方向の中央に設けられ、切り欠き線５２Ｂａ，５２Ｂｂが、第１蓋部４２の長手方向中央に配される。梱包箱１Ｂの展開図における他の部分は、梱包箱１の展開物２Ｂと同じであり、図１と同じ符合を付してその説明を省略する。
【００４５】
なお、蓋用切り欠き線５５Ｂにおける２本の側線５６ａ，５６ｂの間隔Ｗ１は、第１蓋部４２における２つの切り欠き線５２Ｂａ，５２Ｂｂが設けられた範囲の長手方向における寸法Ｗ２に略等しい。また、中央中折部４３側の側線５６ａと折り線４７ｃとの距離Ｄ１は、中央中折部４３側の切り欠き線５２ｂとの距離Ｄ２に略等しい。また、距離Ｄ１は、正方形孔５４と折り線４７ｃとの距離Ｄ３に略等しい。
【００４６】
それぞれの側線５６ａ，５２ｂと凹状線５８で囲まれた部分との距離Ｗ３は略等しく、この距離Ｗ３は、切り欠き線５２ａ，５２ｂにより区分された矩形の長手方向の寸法Ｗ４に略等しい。
図８に示される梱包箱１Ｂは、取り出し口および取り出し口蓋を任意の位置に設けることができる例である。ただし、取り出し口および取り出し口蓋が上面の隅（正方形のかど近傍）に設けられた梱包箱１は、内容物の数が少なくなったとき、傾けて梱包箱１の隅に集めれば一度に数多くの内容物を取り出すことができる利点がある。
【００４７】
梱包箱１，１Ｂの展開物２，２Ｂにおける４つの帯状部分（第１帯状部分３〜第４帯状部分６）を板状材料の長手方向の伸びたものであると説明したが、高さ（深さ）が大きな梱包箱１，１Ｂの展開物２，２Ｂでは、４つの帯状部分が長手方向に直交する方向に伸びる場合がある。第１帯状部分３および第３帯状部分５の幅が高さに応じて大きくなるからである。
【００４８】
梱包箱１を、図９に示される展開物２Ｃから得ることができる。展開物２Ｃは、展開物２における第１内側部１１、第１外側部３１および第１中折部４１を有さず、これらが第２内側部１５Ｃ、第２外側部３５Ｃおよび第２中折部４５Ｃと一体化されている。そして、中折部４５Ｃには、展開物２における第１凹部５１および折り線４８と同じ機能を果たす第１凹部５１Ｃおよび折り線４８Ｃが設けられる。
【００４９】
なお、図９において、折り線４６ｅで連続する第２外側部３５Ｃ、第２中折部４５Ｃを、および／または第２内側部１５Ｃを、それぞれ第２蓋部４４等、上底板内側部１４に連続させるのではなく、第１蓋部４２等、中底板内側部１２に連続させる用にしてもよい。
梱包箱１，１Ｂの展開物２，２Ｂ，１Ｃにおいて、中央中折部４３側の側線５６ａと折り線４７ｃとの距離Ｄ１を正方形孔５４と折り線４７ｃとの距離Ｄ３よりも小さくしてもよい。蓋用切り欠き線５５，５５Ｂの一方の側線５６ａを折り線４７ｃと重ならせてＤ１を０（ゼロ）としてもよい。
【００５０】
上述の実施形態において、梱包箱１，１Ｂ、および梱包箱１，１Ｂの各構成または全体の構造、形状、寸法、個数、材質などは、本発明の趣旨に沿って適宜変更することができる。
【産業上の利用可能性】
【００５１】
本発明は、釘、ボルト等の多量の物品をひとまとめに梱包する梱包箱に利用することができる。
【符号の説明】
【００５２】
１，１Ｂ  梱包箱
２，２Ｂ，２Ｃ  展開物
３  （図１における最も下側の）第１帯状部分
４  第２帯状部分
５  第３帯状部分
６  第４帯状部分
８  取り出し口蓋（開閉蓋）
１１  第１内側部（四角形部分）
１２  中底板内側部
１３  下底板内側部
１４  上底板内側部
１５，１５Ｃ  第２内側部（四角形部分）
２１  中底板部
２２  下底板部
２３  上底板部
３１  第１外側部（四角形部分）
３２  中底板外側部
３３  下底板外側部
３４  上底板外側部
３５，３５Ｃ  第２外側部（四角形部分）
４１  第１中折部（端中折部）
４２  第１蓋部
４３  中央中折部
４４  第２蓋部
４５，４５C  第２中折部（端中折部）
４８，４８Ｃ  折り線（第４傾斜折り線）
４９ａ  折り線（第１傾斜折り線）
４９ｂ  折り線（第２傾斜折り線）
５４  正方形孔（孔）
５５，５５Ｂ  蓋用切り欠き線（蓋用切り離し線）
５９，５９Ｃａ  折り線（第３傾斜折り線）
５９Ｃｂ  折り線（第４傾斜折り線）
７７Ｂ  （取り出し口用）切り欠き（中央切り欠き）
７８Ｂ  （取り出し口用）切り欠き（端部切り欠き）
【図１】
0005238008.tif 000002
【図２】
0005238008.tif 000003
【図３】
0005238008.tif 000004
【図４】
0005238008.tif 000005
【図５】
0005238008.tif 000006
【図６】
0005238008.tif 000007
【図７】
0005238008.tif 000008
【図８】
0005238008.tif 000009
【図９】
0005238008.tif 000010